(57)【特許請求の範囲】
【請求項１】
再生装置と、記録装置とを有する編集システムであって、
前記再生装置は、前記記録装置の記録処理を制御するのに必要な制御情報を前記記録装置のリモコン装置から受信するリモコン受信手段と、前記リモコン受信手段で受信された前記制御情報を記憶する記憶手段と、前記記憶手段が記憶する前記制御情報を前記記録装置に送信するリモコン送信手段とを有し、
前記記録装置は、前記リモコン送信手段から送信された前記制御情報を受信するリモコン受信手段を有し、
前記再生装置は、所定の手順に従って再生された映像情報を前記記録装置に記録させるために、前記リモコン送信手段を用いて前記制御情報を前記記録装置に送信することを特徴とする編集システム。
【請求項２】
記録装置の記録処理を制御するのに必要な制御情報を前記記録装置のリモコン装置から受信するリモコン受信手段と、
前記リモコン受信手段で受信された前記制御情報を記憶する記憶手段と、
前記記憶手段が記憶する前記制御情報を前記記録装置に送信するリモコン送信手段とを有し、
所定の手順に従って再生された映像情報を前記記録装置に記録させるために、前記リモコン送信手段を用いて前記制御情報を前記記録装置に送信することを特徴とする再生装置。
【請求項３】
記録装置の記録処理を制御するのに必要な制御情報を前記記録装置のリモコン装置から受信するリモコン受信手段を用いて前記制御情報を受信させる工程と、
前記リモコン受信手段で受信された前記制御情報を記憶手段に記憶させる工程と、
所定の手順に従って再生された映像情報を前記記録装置に記録させるために、前記記憶手段が記憶する前記制御情報を前記記録装置に送信するリモコン送信手段を用いて前記制御情報を前記記録装置に送信させる工程とを有することを特徴とする再生装置の制御方法。
【発明の詳細な説明】
【０００１】
【産業上の利用分野】
本発明は、編集システム、再生装置及び再生装置の制御方法に関するものである。
【０００２】
【従来の技術】
従来、磁気記録再生装置を用いた映像信号等の編集時には、専用の編集装置を使用し、再生機と記録機とを専用のケーブルで接続し、編集装置が再生機および記録機の動作を制御していた。
【０００３】
【発明が解決しようとする課題】
しかしながら、上記従来例ではその編集システム専用のケーブル，コマンドを使用して編集を行なうため、次のような欠点があった。
【０００４】
（１）使用できる機器が編集システムによって限定される。
【０００５】
（２）複数の機器をケーブルによって接続しなければならない。
【０００６】
（３）専用の編集装置が必要である。
【０００７】
そこで本発明の目的は、以上のような問題を解消することにある。
【０００８】
【課題を解決するための手段】
本発明に係る編集システムは、再生装置と、記録装置とを有する編集システムであって、前記再生装置は、前記記録装置の記録処理を制御するのに必要な制御情報を前記記録装置のリモコン装置から受信するリモコン受信手段と、前記リモコン受信手段で受信された前記制御情報を記憶する記憶手段と、前記記憶手段が記憶する前記制御情報を前記記録装置に送信するリモコン送信手段とを有し、前記記録装置は、前記リモコン送信手段から送信された前記制御情報を受信するリモコン受信手段を有し、前記再生装置は、所定の手順に従って再生された映像情報を前記記録装置に記録させるために、前記リモコン送信手段を用いて前記制御情報を前記記録装置に送信することを特徴とする。
また、本発明に係る再生装置は、記録装置の記録処理を制御するのに必要な制御情報を前記記録装置のリモコン装置から受信するリモコン受信手段と、前記リモコン受信手段で受信された前記制御情報を記憶する記憶手段と、前記記憶手段が記憶する前記制御情報を前記記録装置に送信するリモコン送信手段とを有し、所定の手順に従って再生された映像情報を前記記録装置に記録させるために、前記リモコン送信手段を用いて前記制御情報を前記記録装置に送信することを特徴とする。
また、本発明に係る再生装置の制御方法は、記録装置の記録処理を制御するのに必要な制御情報を前記記録装置のリモコン装置から受信するリモコン受信手段を用いて前記制御情報を受信させる工程と、前記リモコン受信手段で受信された前記制御情報を記憶手段に記憶させる工程と、所定の手順に従って再生された映像情報を前記記録装置に記録させるために、前記記憶手段が記憶する前記制御情報を前記記録装置に送信するリモコン送信手段を用いて前記制御情報を前記記録装置に送信させる工程とを有することを特徴とする。
【００１０】
【実施例】
以下、本発明の実施例について説明する。図１は、本発明の一実施例を説明するブロック図で、１は再生側ＶＴＲ、２は記録側ＶＴＲ、３は記録側ＶＴＲ駆動リモコン（リモートコントロール）コマンドを光送信するリモコンコード送信器である。以下は再生側ＶＴＲ１の構成を示す。４はリモコンコード送信器３からのリモコン光の受信部、５はリモコン受信部４より出力されたリモコンコードを学習するリモコン学習手段、６はＶＴＲの操作を行うＶＴＲ操作手段、７は編集動作の設定、実動作を行う編集手段、８はリモコン学習手段５により学習されたリモコンコードと、編集手段７によって設定された編集動作を記憶するための記憶手段、９はＶＴＲ１本体を駆動制御するＶＴＲ制御手段、１０はリモコン光を送信するリモコン送信部、１１はビデオ，オーディオの信号処理を行う信号処理手段である。１２は再生側ＶＴＲ１から記録側ＶＴＲ２へビデオ，オーディオ信号を供給するビデオ，オーディオケーブル、１３は記録側ＶＴＲ２のリモコン受信部、１４はリモコンコード送信器３より出力されたリモコン光、１５はリモコン送信手段１０より送信されたリモコン光である。
【００１１】
次に、図２のフローチャートに従って、本発明による編集操作手順を説明する。まず、再生側ＶＴＲ１が記録側ＶＴＲ２のリモコンコマンドを学習しているか否かを編集手段７が判断し（１６）、学習していない場合には、記録側ＶＴＲリモコン送信器３、ＶＴＲ操作手段６を使用して、リモコン送信器３から送信されたリモコンコードに基づくリモコン学習操作を行い（１７）、記録側ＶＴＲ２の記録開始、一時停止等のリモコンコマンドをリモコン学習手段５によって記憶手段８に記憶させる。次に、１８において、ＶＴＲ操作手段６を操作して、編集手段７によって編集動作の設定を行ない、シーンのカットイン，カットアウト位置、ＶＴＲの動作等を記憶手段８に記憶させる。
【００１２】
次に１９において、再生側ＶＴＲ１と記録側ＶＴＲ２をビデオ，オーディオケーブル１２で接続し、記録側テープの頭出しを行う等のＶＴＲのセットアップを行う。そして２０において、操作手段６によって自動編集開始コマンドを出力すると、編集手段７が記憶手段８に記憶された編集動作に従って自動編集を行うものである。
【００１３】
この自動編集中の再生側ＶＴＲ１の動作と記録側ＶＴＲ２の動作について、図３に従って説明する。
【００１４】
２１は再生側ＶＴＲモードで、前記１８の自動編集動作設定時には、この図のように動作するように設定されているものとする。まず、再生側ＶＴＲ１が、２３の停止から２５の再生モードに移行するタイミングに同期して、ＶＴＲ制御手段９はａの記録開始コマンドをリモコン送信手段１０より記録側ＶＴＲ２のリモコン受信部１３に送信し、記録側ＶＴＲ２をリモコンにより２６の記録モードに移行させる。するとこの再生シーンは記録テープに記録されることになる。次に再生側ＶＴＲ１のモードが２５の再生から２７の停止に移行するタイミングに同期して、ＶＴＲ制御手段９はｂの記録停止コマンドをリモコン送信手段１０より発生し、記録側ＶＴＲ２をリモコンにより３０の記録一時停止モードに移行させる。
【００１５】
この後、編集手段７は次のカットイン位置までテープを送るために２８の早送りモードに移行する。ＶＴＲ制御手段９により次のカットイン位置が検出されると、再生側ＶＴＲ１は２９の停止モードに移行し、再び３１の再生モードに移行するタイミングに同期してｃの記録開始コマンドをリモコン送信手段１０より発生する。記録側ＶＴＲ２は、このリモコンコマンドによって３２の記録モードに移行し、２５の再生モードによるシーンに続いて、３１の再生モードによるシーンが記録テープに記録される。以上述べたような動作を再生側ＶＴＲ１が繰り返すことによって、自動編集作業が進行することになる。
【００１６】
【発明の効果】
本発明によれば、専用の編集装置の必要がなくなり、任意の記録装置を使用することができるようになり、さらには、複雑なケーブル接続が不要となる。
【図面の簡単な説明】
【図１】本発明を実施した映像情報編集システムのブロック図である。
【図２】本発明による編集手順を示したフローチャートである。
【図３】自動編集動作時の各ＶＴＲモードを示す図である。
【符号の説明】
１  再生側ＶＴＲ
２  記録側ＶＴＲ
３  記録側ＶＴＲリモコンコマンド送信器
４  リモコン受信部
５  リモコン学習手段
６  ＶＴＲ操作手段
７  編集手段
８  記憶手段
９  ＶＴＲ制御手段
１０  リモコン送信部
１１  信号処理手段
１２  ビデオ，オーディオケーブル
１３  リモコン受信部
１４  記録側ＶＴＲのリモコン光
１５  再生側ＶＴＲのリモコン光
【図１】
0003703151.tif 000002
【図２】
0003703151.tif 000003
【図３】
0003703151.tif 000004